(57)【要約】【課題】カード等を持ち歩く必要が無く、カード紛失の虞も無いアミューズメント施設運用システムを提供する。【解決手段】ゲーム機（１ａ）および読取装置（１ｂ）を有するアミューズメント施設（１）、認証機関（２）、クレジットカード会社（３）およびゲームサーバー（４）を具備し、ユーザーが読取装置（１ｂ）に認証用の身体部位データを読み取らせたときに、身体部位データを認証機関（２）に伝送し、認証機関（２）がユーザーの認証を行い、クレジットカード会社（３）およびゲームサーバー（４）に認証データを送信し、クレジットカード会社（３）は、認証機関（２）に照合して、アミューズメント施設（１）にプレイ料金の支払いが成され、ゲームサーバー（４）からは、ユーザーのゲームプレイデータが呼び出され、ゲームプレイデータがダウンロードされ、そのゲームプレイデータに基づくゲームがゲーム機（１ａ）において開始される。【選択図】図１
2008012151.tif 000002
【特許請求の範囲】
【請求項１】
ゲーム機（１ａ）および読取装置（１ｂ）を有するアミューズメント施設（１）、認証機関（２）、クレジットカード会社（３）およびゲームサーバー（４）を具備し、
前記アミューズメント施設（１）は、ユーザーが前記読取装置（１ｂ）に認証用の身体部位データを読み取らせたときに、前記身体部位データを前記認証機関（２）に伝送し、
前記認証機関（２）が前記ユーザーの認証を行い、クレジットカード会社（３）およびゲームサーバー（４）に認証データを送信し、
前記クレジットカード会社（３）は、前記認証機関（２）に照合して、アミューズメント施設（１）にプレイ料金の支払いが成され、
前記ゲームサーバー（４）からは、前記ユーザーのゲームプレイデータが呼び出され、前記ゲームプレイデータがダウンロードされ、そのゲームプレイデータに基づくゲームがゲーム機（１ａ）において開始されることを特徴とするアミューズメント施設運用システム。
【請求項２】
前記アミューズメント施設（１）に対するプレイ料金の支払いは、
前記ユーザーに課金の確認をした後に成されることを特徴とする請求項１に記載のアミューズメント施設運用システム。
【請求項３】
前記ゲーム機（１ａ）におけるゲーム終了時には、ゲームプレイデータが前記ゲームサーバー（４）にセーブされ、前記ユーザーは次回に該ゲームの続きをプレイすることができることを特徴とする請求項１に記載のアミューズメント施設運用システム。
【請求項４】
前記読取装置１ｂは、指紋、手の静脈、声紋、または虹彩パターンなどの身体部位を利用した認証データを検出するスキャナーであることを特徴とする請求項１に記載のアミューズメント施設運用システム。
【請求項５】
前記読取装置１ｂが、前記ゲーム機（１ａ）のジョイスティック（１０）に設けられた指が触れるセンサー部（１０ａ）で指紋検出を行うことを特徴とする請求項１に記載のアミューズメント施設運用システム。
【請求項６】
前記読取装置１ｂが、前記ゲーム機（１ａ）のコントローラー（２０）の裏面に設けられた握り部（２０ａ、２０ｂ）で静脈パターンの検出を行うことを特徴とする請求項１に記載のアミューズメント施設運用システム。
【請求項７】
前記読取装置１ｂが、前記ゲーム機（１ａ）の銃型コントローラー（３０）のスコープ（３０ａ）の接眼部に設けられた虹彩を認証するセンサー（３０ｂ）であることを特徴とする請求項１に記載のアミューズメント施設運用システム。
【発明の詳細な説明】
【技術分野】
【０００１】
本発明は、個人認証により、課金及びゲームデータのダウンロードを行うアミューズメントマシンの運営システムに関するものである。
【背景技術】
【０００２】
従来より、ユーザーが購入したＩＣカードによって当該ユーザーを認証し、ゲームプレイ時にサーバーからゲームデータをダウンロードして、アミューズメント施設の場所に拘らずゲームの開始手続きを行ってプレイすることができるシステムが知られている。
【特許文献１】特開２００３−１６９９６５号公報
【発明の開示】
【発明が解決しようとする課題】
【０００３】
従来のＩＣカードによって個人を認証するシステムにおいては、ＩＣカードを購入して持ち歩かなければならないと言う手間がかかり、また、カード紛失の虞があるなどの問題点があった。
本発明は、上記の問題点に鑑みてなされたもので、カード等を持ち歩く必要が無く、カード紛失の虞も無いアミューズメント施設運用システムを提供することを主要な目的とする。
【課題を解決するための手段】
【０００４】
この目的を達成するために、請求項１の発明によるアミューズメント施設運用システムは、ゲーム機（１ａ）および読取装置（１ｂ）を有するアミューズメント施設（１）、認証機関（２）、クレジットカード会社（３）およびゲームサーバー（４）を具備し、ユーザーが読取装置（１ｂ）に認証用の身体部位データを読み取らせたときに、身体部位データを認証機関（２）に伝送し、認証機関（２）がユーザーの認証を行い、クレジットカード会社（３）およびゲームサーバー（４）に認証データを送信し、クレジットカード会社（３）は、認証機関（２）に照合して、アミューズメント施設（１）にプレイ料金の支払いが成され、ゲームサーバー（４）からは、ユーザーのゲームプレイデータが呼び出され、ゲームプレイデータがダウンロードされ、そのゲームプレイデータに基づくゲームがゲーム機（１ａ）において開始されることを特徴とする。
請求項２の発明によるアミューズメント施設運用システムは、請求項１において、アミューズメント施設（１）に対するプレイ料金の支払いは、ユーザーに課金の確認をした後に成されることを特徴とする。
請求項３の発明によるアミューズメント施設運用システムは、請求項１において、ゲーム機（１ａ）におけるゲーム終了時には、ゲームプレイデータがゲームサーバー（４）にセーブされ、ユーザーは次回に該ゲームの続きをプレイすることができることを特徴とする。
請求項４の発明によるアミューズメント施設運用システムは、請求項１において、読取装置１ｂは、指紋、手の静脈、声紋、または虹彩パターンなどの身体部位を利用した認証データを検出するスキャナーであることを特徴とする。
請求項５の発明によるアミューズメント施設運用システムは、請求項１において、読取装置１ｂが、ゲーム機（１ａ）のジョイスティック（１０）に設けられた指が触れるセンサー部（１０ａ）で指紋検出を行うことを特徴とする。
請求項６の発明によるアミューズメント施設運用システムは、請求項１において、読取装置１ｂが、ゲーム機（１ａ）のコントローラー（２０）の裏面に設けられた握り部（２０ａ、２０ｂ）で静脈パターンの検出を行うことを特徴とする。
請求項７の発明によるアミューズメント施設運用システムは、請求項１において、読取装置１ｂが、ゲーム機（１ａ）の銃型コントローラー（３０）のスコープ（３０ａ）の接眼部に設けられた虹彩を認証するセンサー（３０ｂ）であることを特徴とする。
【発明の効果】
【０００５】
以上のように、本発明のアミューズメント施設運用システムによれば、ユーザーはゲームのコントローラーを握るだけで、課金を済ませ、ゲームの続きを楽しむことが可能となり、ゲームを開始するまでの手続きが簡略化される。
また、ジョイスティック１０の指が触れるセンサー部１０ａで指紋検出を行う場合は、ユーザーが、センサー部１０ａを握るだけで即座にゲームを開始でき、また、ゲームの途中でも個人認証を行うことが可能となる。
また、コントローラー２０の裏面に設けられた握り部２０ａおよび２０ｂで静脈パターンの検出を行う場合は、ユーザーが、握り部２０ａまたは２０ｂを握るだけで即座にゲームを開始でき、また、ゲームの途中でも個人認証を行うことが可能となる。
また、銃型コントローラー３０の上部にスコープ３０ａが設けられ、スコープ３０ａの接眼部に虹彩を認証するセンサー３０ｂが内蔵される場合には、ユーザーがスコープ３０ａを覗くだけで、ユーザーの虹彩から認証用データを取得認証し、即座にゲームを開始できるという効果が得られる。また、ゲームの途中でも個人認証を行うことが可能となる。
【発明を実施するための最良の形態】
【０００６】
以下、本発明の実施の形態を図面に基づいて説明する。
【実施例１】
【０００７】
図１は、本発明によるアミューズメント施設運用システムの一実施形態を示すブロック結線図である。
【０００８】
図１において、ユーザーがアミューズメント施設１においてゲーム機１ａに接続された読取装置１ｂに認証用の身体部位データ（例えば指紋データ）を読み取らせると、身体部位データはアミューズメント施設１から認証機関２に伝送され、初回であれば認証機関２に登録した後に、２回目以降では直ちに、認証機関２による認証が行われる。読取装置１ｂは、ここでは指紋認証スキャナーとして説明する。指紋の他には、手の静脈、声紋、虹彩パターンなどの身体部位を利用した認証データであってよい。
【０００９】
ユーザーがアミューズメント施設１においてゲーム機１ａに接続された読取装置１ｂに、指紋、手の静脈、声紋、虹彩パターンなどの認証用身体データを読み取らせるとアミューズメント施設１から認証機関２に伝送される。認証機関２が認証を行い、クレジットカード会社３およびゲームサーバー４に認証データを送信する。
【００１０】
クレジットカード会社３は、ネットワークを介して認証機関２に照合し、アミューズメント施設１にプレイ料金の支払いが成される。ゲームサーバー４からは、当該ユーザーのゲームプレイデータが呼び出され、ユーザーに課金の確認をした後にゲームプレイデータがダウンロードされ、そのゲームプレイデータに基づくゲームがゲーム機１ａにおいて開始される。ゲーム終了時にはゲームプレイデータがゲームサーバー４にセーブされ、ユーザーは次回にこのゲームの続きをプレイすることができる。
【００１１】
次に図２のフローチャートにより、アミューズメント施設１、認証機関２、クレジットカード会社３およびゲームサーバー４の間で実行されるプログラムについて説明する。
【００１２】
プログラムが開始すると、ステップＳ１で、指紋、静脈、声紋、虹彩などからユーザー個人データを取得する。ステップＳ２では、ゲームサーバー４にユーザーのデータが存在するか否かを判断する。ユーザーのデータが存在する場合はステップＳ３に移行し、ユーザーのデータが存在しない場合はステップＳ８に移行する。
【００１３】
ステップＳ３では、ゲームデータのダウンロードを行う。ステップＳ４では、ゲームを再開するか否かをユーザーに確認する。ユーザーがゲームの再開をしないことを選択した場合はプログラムを直ちに終了する。ユーザーがゲームの再開をすることを選択した場合はステップＳ５に移行する。
【００１４】
ステップＳ５では、クレジットカード会社３を通じて料金を課金し、ステップＳ６でゲームを再開する。ゲームオーバー時にはステップＳ７に移行してゲームデータをゲームサーバー４にアップロードして、プログラムを終了する。
【００１５】
ステップＳ８では、ゲームを開始するか否かをユーザーに確認する。ユーザーが、ゲームを開始しない、を選択した場合はプログラムを直ちに終了する。ユーザーが、ゲームの開始をする、を選択した場合はステップＳ９に移行する。
【００１６】
ステップＳ９では、クレジットカード会社３を通じて料金を課金し、ステップＳ１０でゲームデータを作成し、ステップＳ１１でゲームを開始する。ゲームオーバー時にはステップＳ７に移行してゲームデータをゲームサーバー４にアップロードして、プログラムを終了する。
【００１７】
図１では、指紋認証で課金、及びゲームデータのダウンロードを同時に行うアミューズメント施設１のゲーム機１ａに指紋認証スキャナー１ｂを外付けするものとして説明したが、その他に、ゲーム操作を行う部位（コントローラーやジョイスティックなど）に、指紋検出装置または静脈検出装置を組み込むことも可能である。以下、図３〜図５と共に説明する。
【実施例２】
【００１８】
図３では、ジョイスティック１０の指が触れるセンサー部１０ａで指紋検出を行っている。センサー部１０ａは、ジョイスティック１０の上端部や台座１０ｂに設けるようにしても良い。ユーザーが、センサー部１０ａを握るだけで即座にゲームを開始でき、また、ゲームの途中でも個人認証を行うことが可能となる。
【実施例３】
【００１９】
図４では、コントローラー２０の裏面に設けられた握り部２０ａおよび２０ｂで静脈パターンの検出を行う。握り部２０ａおよび２０ｂは、左右いずれか一方のみであっても良い。握り部２０ａおよび２０ｂで検出された静脈パターンはデータは、ケーブル２１を介してゲーム機１ａに伝送される。ユーザーが、握り部２０ａまたは２０ｂを握るだけで即座にゲームを開始でき、また、ゲームの途中でも個人認証を行うことが可能となる。
【実施例４】
【００２０】
図５では、銃型コントローラー３０の上部にスコープ３０ａが設けられ、スコープ３０ａの接眼部には虹彩を認証するセンサー３０ｂが内蔵されている。ユーザーがスコープ３０ａを覗くだけで、ユーザーの虹彩から認証用データを取得認証し、即座にゲームを開始できるという効果が得られる。また、ゲームの途中でも個人認証を行うことが可能となる。
【産業上の利用可能性】
【００２１】
本発明は、アーケードゲーム機や家庭用ゲーム機で利用可能な技術を提示している。
【図面の簡単な説明】
【００２２】
【図１】アミューズメント施設運用システムを示すブロック結線図である。（実施例１）
【図２】アミューズメント施設運用システムの実施方法を示すフローチャートである。（実施例１）
【図３】アミューズメント施設運用システムの実施方法を示す斜視図である。（実施例２）
【図４】アミューズメント施設運用システムの実施方法を示す斜視図である。（実施例３）
【図５】アミューズメント施設運用システムの実施方法を示す正面図である。（実施例４）
【符号の説明】
【００２３】
１    アミューズメント施設
１ａ  ゲーム機
１ｂ  読取装置（スキャナー）
２    認証機関
３    クレジットカード会社
４    ゲームサーバー
１０    ジョイスティック
１０ａ  センサー部
１０ｂ  台座
２０    コントローラー
２０ａ  握り部
２０ｂ  握り部
２１    ケーブル
３０    銃型コントローラー
３０ａ  スコープ
３０ｂ  センサー
【図１】
2008012151.tif 000003
【図２】
2008012151.tif 000004
【図３】
2008012151.tif 000005
【図４】
2008012151.tif 000006
【図５】
2008012151.tif 000007